(57)【要約】      （修正有）【課題】端末デバイスと基地局との間の通信品質を保証する。【解決手段】データ伝送方法において、基地局は、端末デバイスにより送信される端末情報を受信することと、端末情報と中継ノードからの中継情報に基づいて、端末デバイスが第１の中継ノードを介して基地局と通信することを確定することと、端末デバイスに第１の通知メッセージを送信することとを含む。第１の通知メッセージが、第１の中継ノードを介して基地局と通信するように端末デバイスに指示するために用いられる。また、中継情報は、第１の中継ノードの電量情報、負荷情報、状態情報のうちの少なくとも一つを含む。【選択図】図２
2020205619.tif 000002
【特許請求の範囲】
【請求項１】
データ伝送方法であって、
基地局は、端末デバイスにより送信される端末情報を受信することと、
前記基地局は、前記端末情報に基づいて、前記端末デバイスが第１の中継ノードを介して前記基地局と通信することを確定することと、
前記基地局は、前記端末デバイスに第１の通知メッセージを送信することと、
を含み、前記第１の通知メッセージが、前記第１の中継ノードを介して前記基地局と通信するように前記端末デバイスに指示するために用いられる、
ことを特徴とする前記データ伝送方法。
【請求項２】
前記基地局が、前記端末情報に基づいて、前記端末デバイスが第１の中継ノードを介して前記基地局と通信することを確定する前に、前記方法は、
前記基地局は、前記第１の中継ノードにより送信される中継情報を受信することをさらに含み、
前記基地局が、前記端末情報に基づいて、前記端末デバイスが第１の中継ノードを介して前記基地局と通信することを確定することは、
前記基地局は、前記端末情報と前記中継情報とに基づいて、前記端末デバイスが第１の中継ノードを介して前記基地局と通信することを確定することを含む、
ことを特徴とする請求項１に記載のデータ伝送方法。
【請求項３】
前記中継情報は、前記第１の中継ノードの電量情報、負荷情報、状態情報のうちの少なくとも一つを含む、
ことを特徴とする請求項２に記載のデータ伝送方法。
【請求項４】
前記基地局が、前記端末情報に基づいて、前記端末デバイスが第１の中継ノードを介して前記基地局と通信することを確定することは、
前記基地局は、前記第１の中継ノードに第１の要求メッセージを送信することと、
前記基地局は、前記第１の中継ノードの第１のフィードバックメッセージを受信することと、
を含み、前記第１の要求メッセージが、前記端末デバイスと前記基地局との間の中継として機能するように前記第１の中継ノードに要求するために用いられ、前記第１のフィードバックメッセージが、前記第１の中継ノードが前記中継として機能することを同意することを示すために用いられる、
ことを特徴とする請求項１乃至３のいずれか１項に記載のデータ伝送方法。
【請求項５】
前記基地局が、端末デバイスにより送信される端末情報を受信する前に、
前記第１の中継ノードが判断基準に基づいて前記中継として機能するか否かを確定するできるように、前記基地局は、前記第１の中継ノードに前記判断基準を送信することをさらに含む、
ことを特徴とする請求項４に記載のデータ伝送方法。
【請求項６】
前記判断基準は、予め設定される電量閾値及び／又は予め設定される負荷閾値を含む、
ことを特徴とする請求項５に記載のデータ伝送方法。
【請求項７】
前記基地局が、前記端末情報に基づいて、前記端末デバイスが第１の中継ノードを介して前記基地局と通信することを確定することは、
前記基地局は、第２の中継ノードに第２の要求メッセージを送信することと、
前記基地局は、前記第２の中継ノードの第２のフィードバックメッセージを受信することと、
前記基地局は、前記第１の中継ノードに第３の要求メッセージを送信することと、
前記基地局は、前記第１の中継ノードの第３のフィードバックメッセージを受信することと、
を含み、前記第２の要求メッセージが、前記端末デバイスと前記基地局との間の中継として機能するように前記第２の中継ノードに要求するために用いられ、前記第２のフィードバックメッセージが、前記第２の中継ノードが前記中継として機能することを拒否することを示すために用いられ、前記第３の要求メッセージが、前記端末デバイスと前記基地局との間の中継として機能するように前記第１の中継ノードに要求するために用いられ、前記第３のフィードバックメッセージが、前記第１の中継ノードが前記中継として機能することを同意することを示すために用いられる、
ことを特徴とする請求項１乃至３のいずれか１項に記載のデータ伝送方法。
【請求項８】
前記方法は、
前記基地局は、前記第１の中継ノードに第２の通知メッセージを送信することをさらに含み、前記第２の通知メッセージが、前記端末デバイスが前記第１の中継ノードを介して前記基地局と通信することを示すために用いられる、
ことを特徴とする請求項１乃至７のいずれか１項に記載のデータ伝送方法。
【請求項９】
前記方法は、
前記第１の中継ノードが中継リソースを使用して、前記端末デバイスと前記基地局との間の前記通信を協力することができるように、前記基地局は、前記第１の中継ノードに中継リソース構成情報を送信することをさらに含む、
ことを特徴とする請求項１乃至８のいずれか１項に記載のデータ伝送方法。
【請求項１０】
前記方法は、
前記端末デバイスが無線リソースを使用して通信することができるように、前記基地局は、前記端末デバイスに無線リソース構成情報を送信することを含む、
ことを特徴とする請求項１乃至９のいずれか１項に記載のデータ伝送方法。
【請求項１１】
前記端末情報は、
中継要求情報、
前記端末デバイスと前記第１の中継ノードとの間の信号品質情報、
前記端末デバイスと前記基地局との間の信号品質情報、及び
前記端末デバイのサービス優先順位又はリンク傾向
のうちの少なくとも一つを含む、
ことを特徴とする請求項１乃至１０のいずれか１項に記載のデータ伝送方法。
【請求項１２】
前記基地局が、端末デバイスにより送信される端末情報を受信する前に、
前記基地局は、前記端末デバイスに構成情報を送信することさらに含み、前記構成情報が、信号品質の測定を行うように前記端末デバイスに指示するために用いられる、
ことを特徴とする請求項１乃至１１のいずれか１項に記載のデータ伝送方法。
【請求項１３】
基地局であって、
プロセッサと、
トランスミッターとレシーバー、および
メモリと、を含み、
前記メモリは命令を格納し、前記命令が前記プロセッサによって実行されると、前記プロセッサがトランスミッターおよび／またはレシーバーと連携して請求項１ないし１２のいずれか１項に記載の方法を実施するようにする、
ことを特徴とする前記基地局。
【発明の詳細な説明】
【技術分野】
【０００１】
本発明は通信分野に関し、さらに具体的にデータ伝送方法、基地局及び端末デバイスに関する。
【背景技術】
【０００２】
従来の移動通信は、通常、セルラーネットワークによる通信方式を採用している。具体的に、セルラーネットワークにおいて、ソース端末がターゲット端末にデータ伝送をしようとする時に、当該ソース端末は、まず、基地局と接続を確立する必要があり、そしてから、基地局を介してソース端末のデータをターゲット端末に送信する。
【０００３】
ロング・ターム・エボリューション（ＬＴＥ：Ｌｏｎｇ  Ｔｅｒｍ  Ｅｖｏｌｕｔｉｏｎ）バージョン１２（Ｒｅｌｅａｓｅ  １２、Ｒ１２）に、デバイスツーデバイス（Ｄ２Ｄ：Ｄｅｖｉｃｅ  ｔｏ  Ｄｅｖｉｃｅ）通信技術が導入されており、端末ダイレクト接続技術とも称する。Ｄ２Ｄ通信技術において、端末は、基地局により割り当てられるリソースを利用して、その他の端末と直接に通信することができる。
【０００４】
Ｄ２Ｄ通信プロセスは、大まかにＤ２Ｄ発見プロセスとＤ２Ｄ通信プロセスが分かられ、ここで、Ｄ２Ｄ発見プロセスにおいて、Ｄ２Ｄ端末は、その他のＤ２Ｄ端末によりブロードキャストされる発見信号を検出することができ、それによって、近距離範囲内でその他のＤ２Ｄ端末の存在を検出し、その他のＤ２Ｄ端末の身分情報を識別する。Ｄ２Ｄ通信プロセスにおいて、Ｄ２Ｄ端末同士は、近距離で音声通話又はマルチメディア情報共有などの複数形のデータ交換を行うことができる。
【０００５】
ＬＴＥのバージョン１３（Ｒ１３：Ｒｅｌｅａｓｅ  １３）に、Ｄ２Ｄによる端末中継技術が導入されている。即ち、Ｄ２Ｄコラボレーション中継通信技術である。Ｄ２Ｄコラボレーション中継通信技術を利用して、端末がネットワークのカバレッジされていない環境に位置する時に、又は端末のネットワークカバレッジが弱い時に、当該端末は、ネットワークのカバレッジ内のその他の端末を踏み台として、基地局（又はネットワーク）にアクセスすることができる。踏み台としての端末は、中継端末、又は中継ノードと称することができる。つまり、送信端末は、送信端末と中継端末との間のサイドリンク（ＳＬ：Ｓｉｄｅｌｉｎｋ）、及び中継端末と基地局との間のＵｕインターフェース（ダウンリンク（Ｄｏｗｎｌｉｎｋ、ＤＬ）とアップリンク（Ｕｐｌｉｎｋ、ＵＬ）を含む）によって、中継端末を介して、基地局とデータ交換することができる。
【０００６】
従来技術において、端末は、信号の優劣に基づいて、ＳＬとＵｕの選択を行う。基地局は、信号の優劣を評価するための閾値値をブロードキャストすることができ、端末が基地局とのＵｕインターフェース信号が当該閾値値より低い場合、端末は、中継ノードと接続を確立するように選択し、しかもそれを要求することが可能であり、当該Ｕｕインターフェースの信号が当該閾値値より高い場合、端末は、中継ノードを使用して接続を確立することを停止することが可能である。
【０００７】
将来の無線通信システムにおいて、伝統的な意味における端末以外に、ますます多くのその他のタイプの端末、例えば、スマートリング、無線テレビ、スマートメガネ、ロボット、スマートウォッチ等のウェアラブルデバイス（ｗｅａｒａｂｌｅ  ｄｅｖｉｃｅ）が現れることが可能であり、これらの特殊タイプの端末はコストが低く、異なる帯域幅と送信電力をサポートすることが可能である。それ以外に、Ｄ２Ｄコラボレーション中継通信技術において、異なる中継端末の状態が異なる可能性があり、例えば、電量又は負荷が一定の閾値に達した中継端末は、新たな端末にアクセスサービスを提供することができない。
【０００８】
しかし、従来技術において、端末ダイレクト接続技術におけるリンク選択、及び再選択は、完全に端末によって決定され、ネットワーク側では、信号優劣の閾値のブロードキャスト、及びリソースの割り当てによて部分的に制御するしかできず、端末の実際状況によって調整することができない。このような通信方式は柔軟性が欠如している。
【発明の概要】
【０００９】
本発明の実施例は、データ伝送方法を提供し、端末デバイスと基地局との間の通信に対してリンクの切り替えをすることができ、しかも当該通信方式は、柔軟性を有しながら実現することができる。
【００１０】
第１の態様において、データ伝送方法を提供し、
基地局は、端末デバイスにより送信される端末情報を受信することと、
前記基地局は、前記端末情報に基づいて、前記端末デバイスが第１の中継ノードを介して前記基地局と通信することを確定することと、
前記基地局は、前記端末デバイスに第１の通知メッセージを送信することと、
を含み、前記第１の通知メッセージが、前記第１の中継ノードを介して前記基地局と通信するように前記端末デバイスに指示するために用いられる。
【００１１】
本発明の実施例において、基地局は、セルラーリンクから、第１の中継ノードを経由するサイドリンクに切り替えるように端末デバイスに指示することができ、それによって、端末デバイスと基地局との間の通信品質を保証することができる。
【００１２】
任意選択で、前記基地局が、前記端末情報に基づいて、前記端末デバイスが第１の中継ノードを介して前記基地局と通信することを確定する前に、前記方法は、
前記基地局は、前記第１の中継ノードにより送信される中継情報を受信することを含み、
前記基地局が、前記端末情報に基づいて、前記端末デバイスが第１の中継ノードを介して前記基地局と通信することを確定することは、
前記基地局は、前記端末情報と前記中継情報とに基づいて、前記端末デバイスが第１の中継ノードを介して前記基地局と通信することを確定することを含む。
【００１３】
ここで、前記中継情報は、前記第１の中継ノードの電量情報、負荷情報、状態情報のうちの少なくとも一つを含む。
【００１４】
第１の態様を結合し、第１の態様の第１の可能な実現形態において、前記基地局が、前記端末情報に基づいて、前記端末デバイスが第１の中継ノードを介して前記基地局と通信することを確定することは、
前記基地局は、前記第１の中継ノードに第１の要求メッセージを送信することと、
前記基地局は、前記第１の中継ノードの第１のフィードバックメッセージを受信することと、
を含み、前記第１の要求メッセージが、前記端末デバイスと前記基地局との間の中継として機能するように前記第１の中継ノードに要求するために用いられ、前記第１のフィードバックメッセージが、前記第１の中継ノードが前記中継として機能することを同意することを示すために用いられる。
【００１５】
なお、前記基地局が、端末デバイスにより送信される端末情報を受信する前に、前記第１の中継ノードが判断基準に基づいて前記中継として機能するか否かを確定することができるように、前記基地局は、前記第１の中継ノードに前記判断基準を送信すること、をさらに含み、ここで、前記判断基準が、予め設定される電量閾値及び／又は予め設定される負荷閾値を含むことが可能である。
【００１６】
第１の態様を結合し、第１の態様の第２の可能な実現形態において、前記基地局は、前記端末情報に基づいて、前記端末デバイスが第１の中継ノードを介して前記基地局と通信することを確定することは、
前記基地局は、第２の中継ノードに第２の要求メッセージを送信することと、
前記基地局は、前記第２の中継ノードの第２のフィードバックメッセージを受信することと、
前記基地局は、前記第１の中継ノードに第３の要求メッセージを送信することと、
前記基地局は、前記第１の中継ノードの第３のフィードバックメッセージを受信することと、
を含み、前記第２の要求メッセージが、前記端末デバイスと前記基地局との間の中継として機能するように前記第２の中継ノードに要求するために用いられ、前記第２のフィードバックメッセージが、前記第２の中継ノードが前記中継として機能することを拒否することを示すために用いられ、前記第３の要求メッセージが、前記端末デバイスと前記基地局との間の中継として機能するように前記第１の中継ノードに要求するために用いられ、前記第３のフィードバックメッセージが、前記第１の中継ノードが前記中継として機能することを同意することを示すために用いられる。
【００１７】
第１の態様又は上記の第１の態様のいずれか一つの可能な実現形態を結合し、第１の態様の第３の可能な実現形態において、前記方法は、前記基地局は、前記第１の中継ノードに第２の通知メッセージを送信することをさらに含み、前記第２の通知メッセージが、前記端末デバイスが前記第１の中継ノードを介して前記基地局と通信することを示すために用いられる。
【００１８】
第１の態様又は上記の第１の態様のいずれか一つの可能な実現形態を結合し、第１の態様の第４の可能な実現形態において、前記方法は、前記第１の中継ノードが中継リソースを使用して、前記端末デバイスと前記基地局との間の前記通信を協力することができるように、前記基地局は、前記第１の中継ノードに中継リソース構成情報を送信すること、をさらに含む。
【００１９】
第１の態様又は上記の第１の態様のいずれか一つの可能な実現形態を結合し、第１の態様の第５の可能な実現形態において、前記方法は、前記端末デバイスが無線リソースを使用して通信することができるように、前記基地局は、前記端末デバイスに無線リソース構成情報を送信すること、をさらに含む。
【００２０】
一例として、前記基地局が、端末デバイスにより送信される端末情報を受信する前に、前記基地局は、前記端末デバイスに構成情報を送信することをさらに含み、前記構成情報が、信号品質の測定を行うように前記端末デバイスに指示するために用いられる。
【００２１】
任意選択で、本発明の実施例において、前記端末情報は、中継要求情報、前記端末デバイスと前記第１の中継ノードとの間の信号品質情報、前記端末デバイスと前記基地局との間の信号品質情報、及び前記端末デバイのサービス優先順位又はリンク傾向のうちの少なくとも一つを含む。
【００２２】
第２の態様において、データ伝送方法を提供し、
端末デバイスは、基地局に端末情報を送信することと、
前記端末デバイスは、前記基地局により送信される第１の通知メッセージを受信することと、を含み、
前記第１の通知メッセージが、前記第１の中継ノードを介して前記基地局と通信するように前記端末デバイスに指示するために用いられ、ここで、前記第１の通知メッセージが、前記基地局が前記端末情報に基づいて確定されるものである。
【００２３】
本発明の実施例において、端末デバイスは、基地局の通知を受信し、それによってセルラーリンクから第１の中継ノードを経由するサイドリンクに切り替え、端末デバイスと基地局との間の通信品質を保証することができる。
【００２４】
第２の態様を結合し、第２の態様の第１の可能な実現形態において、前記端末デバイスは、前記基地局により送信される無線リソース構成情報を受信することと、前記端末デバイスは前記無線リソースを使用して、前記第１の中継ノードを介して前記基地局と通信を行うこととをさらに含む。
【００２５】
第２の態様を結合し、第２の態様の第２の可能な実現形態において、前記端末デバイスは、予め割り当てられる無線リソースを使用して、前記第１の中継ノードを介して前記基地局と通信することをさらに含むことができる。
【００２６】
任意選択で、前記端末デバイスが、基地局に端末情報を送信する前に、前記端末デバイスは、前記基地局により送信される構成情報を受信することと、前記端末デバイスは、前記構成情報に基づいて信号品質を測定することと、をさらに含む。
【００２７】
第３の態様において、データ伝送方法を提供し、
第１の中継ノードは、基地局により送信される第１の要求メッセージを受信することと、
前記第１の中継ノードが前記中継として機能することを同意する場合、前記第１の中継ノードは、前記基地局に第１のフィードバックメッセージを送信すること、又は
前記第１の中継ノードが前記中継として機能することを拒否する場合、前記第１の中継ノードは、前記基地局に第２のフィードバックメッセージを送信すること、
を含み、前記第１の要求メッセージが、端末デバイスと前記基地局との間の中継として機能するように前記第１の中継ノードを要求するために用いられ、前記第１のフィードバックメッセージが、前記第１の中継ノードが前記中継として機能することを同意することを示すために用いられ、前記第２のフィードバックメッセージが、前記第１の中継ノードが前記中継として機能することを拒否することを示すために用いられる。
【００２８】
本発明の実施例において、基地局によって協調して第１の中継ノードとインタラクションし、第１の中継ノードは、基地局を協力して、端末デバイスをセルラーリンクから第１の中継ノードを経由するサイドリンクに切り替えることができる。又は、第１の中継ノードは、要求を拒否することができ、基地局によって端末デバイスをセルラーリンクから、第１の中継ノードを経由しない別のサイドリンクに切り替える。それによって、端末デバイスと基地局との間の通信品質を保証することができる。
【００２９】
任意選択で、前記第１の中継ノードが基地局により送信される第１の要求メッセージを受信した後に、前記第１の中継ノードは、判断基準に基づいて、前記中継として機能することを同意するか否かを判断することをさらに含むことができる。
【００３０】
それに応じて、なお、前記方法は、前記第１の中継ノードは、前記基地局により送信される構成情報を受信すること、をさらに含み、前記構成情報が前記判断基準を含む。ここで、前記判断基準が、予め設定される電量閾値及び／又は予め設定される負荷閾値を含むことが可能である。
【００３１】
一つの可能な実現形態において、前記第１の中継ノードが、判断基準に基づいて、前記中継として機能することを同意するか否かを判断することは、前記第１の中継ノードは、前記判断基準と前記第１の中継ノードの中継情報とに基づいて、前記中継として機能することを同意するか否かを判断することを含む。ここで、前記中継情報は、前記第１の中継ノードの電量情報、負荷情報、状態情報のうちの少なくとも一つを含むことができる。
【００３２】
第２の態様を結合し、別の可能な実現形態において、前記第１の中継ノードが、前記基地局に第１のフィードバックメッセージを送信した後に、前記第１の中継ノードは、前記基地局により送信される第２の通知メッセージを受信すること、をさらに含むことができ、前記第２の通知メッセージが、前記端末デバイスが前記第１の中継ノードを介して前記基地局と通信することを示すために用いられる。
【００３３】
第２の態様を結合し、更なる可能な実現形態において、前記第１の中継ノードが、前記基地局に第１のフィードバックメッセージを送信した後に、前記第１の中継ノードは、前記基地局により送信される中継リソース構成情報を受信することと、前記第１の中継ノードは、中継リソースを使用して、前記端末デバイスと前記基地局との間の前記通信を協力することとをさらに含むことができる。
【００３４】
第４の態様において、データ伝送方法を提供し、
端末デバイスは、第１の中継ノードにより送信される第１の通知メッセージを受信することと、
前記端末デバイスは、前記第１の通知メッセージに基づいて、前記第１のリンクを介して前記基地局と通信することと、
を含み、前記第１の通知メッセージが、第１のリンクを介して前記基地局と通信するように前記端末デバイスに指示するために用いられる。
【００３５】
本実施例において、端末デバイスは、第１の中継ノードの通知に基づいて、第１の中継ノードを経由するサイドリンクから第１のリンクに切り替えることができ、それによって、端末デバイスと基地局との間の通信品質を保証することができる。
【００３６】
なお、前記端末デバイスが、第１の中継ノードにより送信される第１の通知メッセージを受信する前に、前記端末デバイスは、前記第１の中継ノードを介して前記基地局と通信する。
【００３７】
第４の態様を結合し、第１の可能な実現形態において、前記第１のリンクは、前記端末デバイスと前記基地局との間のセルラーリンクであり、前記第１の通知メッセージは、前記セルラーリンクを介して前記基地局と通信するように前記端末デバイスに指示するために用いられる。
【００３８】
任意選択で、前記第１のリンクを介して前記基地局と通信することは、前記端末デバイスは、前記第１の中継ノードにより送信されるアクセスリソースを受信することと、前記端末デバイスは、前記アクセスリソースに基づいて、前記基地局にアクセスすることと、前記アクセスした後に、前記セルラーリンクを介して前記基地局と通信することと、
を含み、前記アクセスリソースが、前記第１の中継ノードが前記基地局に申請するものである。
【００３９】
第４の態様を結合し、第２の可能な実現形態において、前記第１のリンクは、前記端末デバイスと第２の中継ノードとの間のサイドリンクであり、前記第１の通知メッセージは、前記サイドリンクを介して前記基地局と通信するように前記端末デバイスに指示するために用いられる。
【００４０】
第４の態様を結合し、第３の可能な実現形態において、前記第１の通知メッセージは、複数のリンクのうちの一つを選択して前記第１のリンクとし、前記第１のリンクを介して前記基地局と通信するように前記端末デバイスに指示するために用いられ、ここで、前記複数のリンクは、前記端末デバイスと第２の中継ノードとの間のサイドリンク、及び前記端末デバイスと前記基地局との間のセルラーリンクを含む。
【００４１】
任意選択で、前記第１のリンクを介して前記基地局と通信することは、
前記端末デバイスは、前記端末デバイスと前記基地局との間の信号強度に基づいて、前記第１のリンクが前記端末デバイスと前記基地局との間のセルラーリンクであることを確定し、前記第１のリンクを介して前記基地局と通信することを含み、
任意選択で、前記第１のリンクを介して前記基地局と通信することは、
前記端末デバイスは、前記端末デバイスと前記第２の中継ノードとの間の信号強度に基づいて、前記第１のリンクが前記端末デバイスと前記第２の中継ノードとの間のサイドリンクであることを確定し、前記第１のリンクを介して前記基地局と通信すること、を含む。
【００４２】
ここで、前記第１のリンクを介して前記基地局と通信することは、前記端末デバイスは、前記端末デバイスと前記第２の中継ノードとの間の信号強度に基づいて、また前記第２の中継ノードの中継情報に基づいて、前記第１のリンクが前記端末デバイスと前記第２の中継ノードとの間のサイドリンクであることを確定し、前記第１のリンクを介して前記基地局と通信することを含むことができる。ここで、前記中継情報は、前記第２の中継ノードの電量情報、負荷情報、状態情報のうちの少なくとも一つを含む。
【００４３】
第５の態様において、データ伝送方法を提供し、
第１の中継ノードは、端末デバイスと基地局との間の中継として機能することを停止することを確定することと、
前記第１の中継ノードは、前記端末デバイスに第１の通知メッセージを送信することと、
を含み、前記第１の通知メッセージが、第１のリンクを介して前記基地局と通信するように前記端末デバイスに指示するために用いられる。
【００４４】
本発明の実施例において、中継ノードは、端末デバイスと基地局との間の経路の切り替えを確定することができ、中継ノードを経由するサイドリンクから第１のリンクに切り替え、このように端末デバイスと基地局との間の通信品質を保証することができる。
【００４５】
任意選択で、前記第１の中継ノードが、端末デバイスと基地局との間の中継として機能することを停止することを確定することは、前記第１の中継ノードは、中継情報に基づいて、前記端末デバイスと前記基地局との間の中継として機能することを停止することを確定することを含む。ここで、前記中継情報は、前記第１の中継ノードの電量情報、負荷情報、状態情報のうちの少なくとも一つを含む。
【００４６】
第５の態様を結合し、第５の態様の第１の可能な実現形態において、前記第１のリンクは、前記端末デバイスと前記基地局との間のセルラーリンクである。
【００４７】
任意選択で、前記第１の中継ノードは、前記基地局に要求メッセージを送信することと、前記第１の中継ノードは、前記基地局により送信される前記アクセスリソースを受信することと、前記端末デバイスが前記アクセスリソースに基づいて前記基地局にアクセスすることができるように、前記第１の中継ノードは、前記アクセスリソースを前記端末デバイスに送信することと、
をさらに含むことができ、前記要求メッセージが、前記端末デバイスの代わりに前記基地局にアクセスリソースを要求するために用いられる。
【００４８】
第５の態様を結合し、第５の態様の第２の可能な実現形態において、前記第１のリンクは、前記端末デバイスと第２の中継ノードとの間のサイドリンクである。
【００４９】
第５の態様を結合し、第５の態様の第３の可能な実現形態において、前記第１の通知メッセージは、複数のリンクのうちの一つを選択して前記第１のリンクとし、前記第１のリンクを介して前記基地局と通信するように前記端末デバイスに指示するために用いられ、ここで、前記複数のリンクは、前記端末デバイスと第２の中継ノードとの間のサイドリンク、及び前記端末デバイスと前記基地局との間のセルラーリンクを含む。
【００５０】
第６の態様において、基地局を提供し、受信ユニット、送信ユニット、及び確定ユニットを含み、上記の第１の態様又は第１の態様のいずれか一つの実現形態におけるデータ伝送方法を実現するように構成されることができる。
【００５１】
第７の態様において、端末デバイスを提供し、送信ユニット、受信ユニット、及び通信ユニットを含み、上記の第２の態様又は第２の態様のいずれか一つの実現形態におけるデータ伝送方法を実現するように構成されることができ、又は、当該端末デバイスは、上記の第４の態様又は第４の態様のいずれか一つの実現形態におけるデータ伝送方法を実現するように構成されることができる。
【００５２】
第８の態様において、中継ノードを提供し、当該中継ノードは、中継機能を実現する端末デバイスを指している。中継ノードは、受信ユニット、送信ユニット、及び判断ユニットを含み、当該中継ノードは、上記の第３の態様又は第３の態様のいずれか一つの実現形態におけるデータ伝送方法を実現するように構成されることができる。又は当該中継ノードは、受信ユニット、送信ユニット、及び確定ユニットを含み、当該中継ノードは、上記の第５の態様又は第５の態様のいずれか一つの実現形態におけるデータ伝送方法を実現するように構成されることができる。
【００５３】
第９の態様において、基地局を提供し、レシーバー、トランスミッター、及びプロセッサを含み、上記の第１の態様又は第１の態様のいずれか一つの実現形態におけるデータ伝送方法を実現するように構成されることができる。
【００５４】
第１０の態様において、端末デバイスを提供し、トランスミッター、レシーバー、及びプロセッサを含む。上記の第２の態様又は第２の態様のいずれか一つの実現形態におけるデータ伝送方法を実現するように構成されることができ、又は、当該端末デバイスは、上記の第４の態様又は第４の態様のいずれか一つの実現形態におけるデータ伝送方法を実現するように構成されることができる。
【００５５】
第１１の態様において、中継ノードを提供し、当該中継ノードは、中継機能を実現する端末デバイスを指しており、中継ノードは、レシーバー、トランスミッター、及びプロセッサを含む。当該中継ノードは、上記の第３の態様又は第３の態様のいずれか一つの実現形態におけるデータ伝送方法を実現するように構成されることができ、又は当該中継ノードは、上記の第５の態様又は第５の態様のいずれか一つの実現形態におけるデータ伝送方法を実現するように構成されることができる。
【００５６】
第１２の態様において、コンピュータ読み取り可能な記憶媒体を提供し、前記コンピュータ読み取り可能な記憶媒体にプログラムが記憶されており、前記プログラムは、基地局に上記の第１の態様、及びそれの各実現形態のいずれか一つのデータ伝送のための方法を実行させる。
【００５７】
第１３の態様において、コンピュータ読み取り可能な記憶媒体を提供し、前記コンピュータ読み取り可能な記憶媒体にプログラムが記憶されており、前記プログラムは、端末デバイスに上記の第１の態様、及びそれの各実現形態のいずれか一つのデータ伝送のための方法を実行させ、又は、前記プログラムは、端末デバイスに上記の第４の態様、及びそれの各実現形態のいずれか一つのデータ伝送のための方法を実行させる。
【００５８】
第１４の態様において、コンピュータ読み取り可能な記憶媒体を提供し、前記コンピュータ読み取り可能な記憶媒体にプログラムが記憶されており、前記プログラムは、中継ノードに上記の第３の態様、及びそれの各実現形態のいずれか一つのデータ伝送のための方法を実行させ、又は、前記プログラムは、中継ノードに上記の第５の態様、及びそれの各実現形態のいずれか一つのデータ伝送のための方法を実行させる。
【図面の簡単な説明】
【００５９】
【図１】本発明の実施例の適用場面の概略図である。
【図２】本発明の実施例におけるデータ伝送方法の概略的なフローチャートである。
【図３】本発明の実施例におけるデータ伝送方法の別の一つの概略的なフローチャートである。
【図４】本発明の実施例におけるデータ伝送方法の別の一つの概略的なフローチャートである。
【図５】本発明の実施例におけるデータ伝送方法の別の一つの概略的なフローチャートである。
【図６】本発明の実施例におけるデータ伝送方法の別の一つの概略的なフローチャートである。
【図７】本発明の実施例におけるデータ伝送方法の別の一つの概略的なフローチャートである。
【図８】本発明の一つの実施例における基地局の構成図である。
【図９】本発明のもう一つの実施例における基地局の構成図である。
【図１０】本発明の一つの実施例におけるシステムチップの概略的な構成図である。
【図１１】本発明の一つの実施例における端末デバイスの構成図である。
【図１２】本発明のもう一つの実施例における端末デバイスの構成図である。
【図１３】本発明のもう一つの実施例におけるシステムチップの概略的な構成図である。
【図１４】本発明の一つの実施例における中継ノードの構成図である。
【図１５】本発明のもう一つの実施例における中継ノードの構成図である。
【図１６】本発明のもう一つの実施例におけるシステムチップの概略的な構成図である。
【図１７】本発明のもう一つの実施例における中継ノードの構成図である。
【発明を実施するための形態】
【００６０】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００６１】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００６２】
なお、本発明の実施例の技術案は、様々な通信システム、例えば、グローバル移動体通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、シンボル分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域シンボル分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロング・ターム・エボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等に適用されることができる。
【００６３】
さらに、本発明の実施例において、基地局は、ネットワークデバイス又はネットワーク側のデバイス等とも称しても良く、基地局は、ＧＳＭ又はＣＤＭＡにおける基地局（ＢＴＳ：Ｂａｓｅ  Ｔｒａｎｓｃｅｉｖｅｒ  Ｓｔａｔｉｏｎ）であっても良く、ＷＣＤＭＡにおける基地局（ＮｏｄｅＢ）であっても良く、ＬＴＥの進化型基地局（ｅＮＢ又はｅＮｏｄｅＢ：Ｅｖｏｌｕｔｉｏｎａｌ  Ｎｏｄｅ  Ｂ）、又は将来の５Ｇネットワークにおける基地局デバイスなどであっても良く、本発明はこれに対して限定しない。
【００６４】
また、本発明の実施例において、端末装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信することができ、端末デバイスは、アクセス端末と指しても良く、ユーザデバイス（ＵＥ：Ｕｓｅｒ  Ｅｑｕｉｐｍｅｎｔ）、ユーザユニット、ユーザサイト、移動サイト、移動局、遠隔サイト、遠隔端末、移動デバイス、ユーザ端末、端末、無線通信デバイス、ユーザエージェント又はユーザ装置であっても良い。端末デバイスは、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末装置などであってもよい。
【００６５】
図１は、セルラー通信とＤ２Ｄ通信の適用場面の概略図である。図１に、端末デバイス１１、端末デバイス１２、端末デバイス１３、及び基地局２１が示されている。
【００６６】
ここで、端末デバイス１２は、経路２を経由して基地局２１と通信することができる（即ち、セルラーリンク）。又は、端末デバイス１２は、経路１（即ち、サイドリンク又は中継リンク）を経由し、中継ノードとしての端末デバイス１１を経由して基地局２１と通信することもできる。又は、別のケースとして、中継ノードとしての端末デバイス１３を経由して基地局２１と通信することができる。
【００６７】
また、端末デバイス１２は、基地局２１によりブロードキャストされる信号の優劣の閾値に基づいて経路の選択を行うことができる。
【００６８】
端末デバイス１２が特殊タイプの端末である場合、例えば、端末デバイス１２が基地局と通信することができないウェアラブルデバイスであり、端末デバイス１２は、中継ノードを介してネットワークに接続する際に、従来技術における端末ダイレクト接続技術、及び端末中継技術を可能な限りに踏襲することができる。
【００６９】
しかしながら、従来の端末ダイレクト接続技術において、リンク選択及び再選択は、完全に端末によって決定され、ネットワーク側では、信号優劣の閾値のブロードキャスト、及びリソースの割り当てによって部分的に制御するしかできず、完全に制御することはできない。また、ウェアラブルデバイスにおいて、カバレッジ状況は、中継リンクを使用するかの唯一の基準ではなく、一部の端末が、中継リンクによって電量を節約したり、又はサービスのアグリゲーションを行おうとしたりするため、信号の優劣が、中継リンクを使用するか否かの唯一の基準ではない。このため、本発明は、ネットワークと中継端末とのインタラクションによって、端末中継リンクの選択と再選択に対してより良く制御することを試みる。
【００７０】
図２は、本発明の一つの実施例におけるデータ伝送方法のフローチャートである。図２に示される方法は、Ｓ２０１〜Ｓ２０９を含む。
【００７１】
Ｓ２０１において、基地局２１は、端末デバイス１２に構成情報を送信する。
【００７２】
なお、Ｓ２０１の前に、端末デバイス１２と基地局２１とは、両者の間のセルラーリンクを介してデータ伝送を行う。
【００７３】
任意選択で、基地局２１は、ブロードキャストを介して当該構成情報を送信することができる。このように、当該基地局２１のカバレッジ範囲内に位置するすべての端末デバイスのいずれも、当該構成情報を受信することができる。例えば、別の端末デバイス１１も、当該構成情報を受信することができる。
【００７４】
任意選択で、基地局２１は、セルラーリンクを介して端末デバイス１２と通信する過程において、リンクの切り替えが必要であることを判断した場合、Ｓ２０１を実施することができる。
【００７５】
例を挙げて説明すると、基地局２１は、端末デバイス１２と基地局２１との距離が増加していると発見した場合、又は、基地局２１は、端末デバイス１２と基地局２１との間の信号品質が劣化していると発見した場合、Ｓ２０１を実施する。
【００７６】
Ｓ２０１において、基地局２１は、端末デバイス１２が信号品質の測定、具体的に、Ｕｕ及び／又はＳＬの測定を行うように構成すると理解することが可能である。ここで、Ｕｕは、端末デバイス１２と基地局２１との間のインターフェースを指しており、ＳＬは、端末デバイス１２とその他の端末デバイスとの間のインターフェースを指している。
【００７７】
Ｓ２０２において、端末デバイス１２は、基地局２１に端末情報を報告する。
【００７８】
任意選択で、端末デバイス１２は、構成情報を受信してから、信号品質の測定を行うことができる。このように、端末デバイス１２は、端末デバイス１２と基地局２１との間の信号品質情報を確定することができる。
【００７９】
任意選択で、端末デバイス１２は、構成情報を受信してから、Ｄ２Ｄの発見プロセスを起動することができ、それによって、端末デバイス１２とその付近のその他の端末デバイスとの間の信号品質情報を確定し、例えば、端末デバイス１２は、別の一つの端末デバイス１１との信号品質情報を確定することができる。ここで、別の一つの端末デバイス１１を第１の中継ノード１１と称する。
【００８０】
それに応じて、端末情報は、端末デバイス１２と基地局２１との間の信号品質情報を含み、及び／又は、端末デバイス１２と第１の中継ノード１１との間の信号品質情報を含むことができる。
【００８１】
また、当該端末情報は、端末デバイのサービス優先順位又はリンク傾向を含むことができる。例えば、当該サービス優先順位は、第１のサービスの優先順位が１であることと、第２のサービスの優先順位が２であることとを含むことができる。例えば、当該リンク傾向は、第１のサービスが第１の中継ノード１１を経由する中継リンクを使用する傾向、第２のサービスが別の一つの中継ノードを経由する中継リンクを使用する傾向、及び第３のサービスが基地局との間のセルラーリンクを使用する傾向、等々を含む。
【００８２】
ここで、サービス優先順位又はリンク傾向は、事前に端末デバイス１２に設定されるユーザの好みであっても良い。つまり、ユーザが自分の好み又はサービスのニーズによって事前に設定されるものである。
【００８３】
なお、本発明の実施例において、Ｓ２０１のステップは任意選択可能なステップであり、一つの実施例として、Ｓ２０１を実施しない場合、端末デバイス１２は、自身のニーズによってＳ２０２を実施することができる。例を挙げて説明すると、端末デバイス１２は、セルラーリンクを介して基地局２１と通信しているところで、リンクの切り替えをしようとした場合、Ｓ２０２を実行することができる。例を挙げて説明すると、端末デバイス１２は、端末デバイス１２と基地局２１との間の信号品質が予め設定される信号閾値より低いと検出した場合、Ｓ２０２を実施し、セルラーリンクからＳＬに切り替えるように要求する。例を挙げて説明すると、端末デバイス１２は、端末デバイス１２と基地局２１との間のリンクの帯域幅が特定のサービス（例えば、サービスＡ）の要求を満たしない場合、Ｓ２０２を実施し、当該サービスＡの伝送リンクをセルラーリンクからＳＬに切り替えるように要求する。
【００８４】
この場合、当該端末情報は中継要求情報を含む。当該中継要求情報は、当該端末デバイス１２が中継ノードを利用して基地局２１と後続の通信を行おうとしていることを表す。
【００８５】
なお、Ｓ２０１を実施しなくても、端末情報は、上記の信号品質情報、サービス優先順位又はリンク傾向をさらに含んでも良い。つまり、端末デバイス１２は、主動的に信号品質の測定を行い、上記の信号品質情報を取得することができる。
【００８６】
なお、Ｓ２０１における構成情報が、基地局２１によりブロードキャストで送信されるものである場合、基地局２１は、複数の端末デバイスの端末情報を受信することができる。
【００８７】
Ｓ２０３において、第１の中継ノード１１は、基地局２１に中継情報を送信する。
【００８８】
中継情報は、第１の中継ノード１１の電量情報、負荷情報、状態情報のうちの少なくとも一つを含むことができる。ここで、状態情報は、第１の中継ノード１１のネットワーク状況などを含むことができる。例えば、ネットワーク状態は、データが開けるか否かを表すことができる。
【００８９】
そのため、当該中継情報は、第１の中継ノード１１が中継端末として、その他の端末（例えば、端末デバイス１２）に基地局２１にアクセスさせることができるか否かを表す。
【００９０】
なお、基地局２１は、複数の端末デバイスにより送信される中継情報を受信することができる。
【００９１】
なお、本発明の実施例は、Ｓ２０２とＳ２０３の実施順序に対して限定しない。例えば、Ｓ２０２を先に実施してからＳ２０３を実施し、又はＳ２０３を先に実施してからＳ２０２を実施し、又は、Ｓ２０２とＳ２０３とを同時に実施ても良い。
【００９２】
任意選択で、本発明の実施例において、Ｓ２０２において、端末デバイス１２は、基地局２１に送信端末デバイス１２の中継情報を送信することができ、端末デバイス１２の電量情報、負荷情報、状態情報のうちの少なくとも一つを含む。つまり、当該端末デバイス１２は、その他の端末の中継として機能することができる。
【００９３】
任意選択で、本発明の実施例において、Ｓ２０３において、第１の中継ノード１１は、基地局２１に第１の中継ノード１１の端末情報を送信しても良く、第１の中継ノード１１と基地局２１との間の信号品質情報等を含む。つまり、端末デバイス１１は、端末デバイス１１と基地局２１との間の中継として機能するようにその他の端末に要求することができる。
【００９４】
Ｓ２０４において、基地局２１は、Ｓ２０２で受信される端末情報に基づいて、当該端末デバイス１２が第１の中継ノード１１を介して基地局２１と後続の通信をすることを確定する。
【００９５】
基地局２１は、端末情報に基づいて、端末デバイス１２のために第１の中継ノード１１を選択して、端末デバイス１２と基地局２１との間の通信中継とすることができる。
【００９６】
任意選択で、基地局２１は、端末デバイス１２と基地局２１との間の信号品質、端末デバイス１２と第１の中継ノード１１との間の信号品質、及び第１の中継ノード１１と基地局２１との間の信号品質に基づいて、第１の中継ノード１１を端末デバイス１２と基地局２１との間の通信中継として確定する。例を挙げて説明すると、端末デバイス１２と基地局２１との間の信号品質が劣化した（例えば、ある予め設定される第１の閾値より低い）が、端末デバイス１２と第１の中継ノード１１との間の信号品質、及び第１の中継ノード１１と基地局２１との間の信号品質が良い（例えば、ある予め設定される第２の閾値より高い）場合、基地局２１は、第１の中継ノード１１を端末デバイス１２と基地局２１との間の通信中継として確定することができる。
【００９７】
任意選択で、基地局２１は、端末デバイのサービス優先順位又はリンク傾向に基づいて、第１の中継ノード１１を端末デバイス１２と基地局２１との間の通信中継として確定することができる。例を挙げて説明すると、仮に、第１のサービスの優先順位を１とする場合、端末デバイス１２と基地局２１との間の信号品質が劣化したが、端末デバイス１２と第１の中継ノード１１との間の信号品質、及び第１の中継ノード１１と基地局２１との間の信号品質が良い場合、基地局２１は、第１の中継ノード１１を端末デバイス１２と基地局２１との間の第１のサービスの通信中継として確定する。それによって、優先順位が１である第１のサービスの伝送を保証する。例を挙げて説明すると、当該リンク傾向は、第１のサービスが第１の中継ノード１１を経由する中継リンクを使用する傾向があり、且つ当該端末デバイス１２の伝送待ちのサービスが第１のサービスであることを含む場合、基地局２１は、第１の中継ノード１１を端末デバイス１２と基地局２１との間の通信中継として確定することができる。
【００９８】
任意選択で、基地局２１は、中継要求情報に基づいて、第１の中継ノード１１を端末デバイス１２と基地局２１との間の通信中継として確定することができる。例を挙げて説明すると、基地局２１は、位置情報及び／又は信号品質情報に基づいて、Ｓ２０４を実施することができる。例えば、基地局２１は、第１の中継ノード１１が端末デバイス１２の付近に位置し、しかも第１の中継ノード１１と基地局２１との間の信号品質がある予め設定される閾値より高いことを確定した場合、第１の中継ノード１１を端末デバイス１２と基地局２１との間の通信中継として確定することができる。
【００９９】
上記から分かるように、本発明の実施例において、基地局は、端末デバイスのユーザプリファレンス及びサービスニーズに基づいて、中継リンクの選択を最適化することができ、端末デバイスのためにより良い伝送リンクを選択することができる。
【０１００】
任意選択で、基地局２１は、Ｓ２０２で受信される端末情報、及びＳ２０３で受信される中継情報に基づいて、第１の中継ノード１１を端末デバイス１２と基地局２１との間の通信中継として確定することができる。例を挙げて説明すると、端末デバイス１２と第１の中継ノード１１との間の信号品質が良く（例えば、ある予め設定される第２の閾値より高い）、かつ第１の中継ノード１１の電量が高い（例えば、ある予め設定される電量閾値より高い）場合、基地局２１は、第１の中継ノード１１を端末デバイス１２と基地局２１との間の通信中継として確定することができる。
【０１０１】
Ｓ２０５において、基地局２１は、端末デバイス１２に第１の通知メッセージを送信し、当該第１の通知メッセージが、前記第１の中継ノード１１を介して前記基地局２１と通信するように前記端末デバイス１２に指示するために用いられる。
【０１０２】
ここで、第１の通知メッセージは、第１の中継ノード１１の識別子を含むことができる。
【０１０３】
当該第１の通知メッセージが、データサービスをＵｕインターフェースからＳＬインターフェースに切り替えるように端末デバイス１２に指示すると理解することが可能である。つまり、データサービスの伝送リンクを、端末デバイス１２と基地局２１との間のセルラーリンクから、端末デバイス１２と第１の中継ノード１１との間のＳｉｄｅｌｉｎｋに切り替えるように端末デバイス１２に指示する。
【０１０４】
任意選択で、Ｓ２０４の後に、Ｓ２０６をさらに含むことができる。
【０１０５】
Ｓ２０６において、基地局２１は、第１の中継ノード１１に第２の通知メッセージを送信し、当該第２の通知メッセージが、前記端末デバイス１２が前記第１の中継ノード１１を介して前記基地局２１と通信することを示すために用いられる。
【０１０６】
つまり、当該第２の通知メッセージは、端末デバイス１２と基地局２１との間で通信する中継として機能するように第１の中継ノード１１に指示するために用いられる。ここで、第２の通知メッセージに端末デバイス１２の識別子を含む。
【０１０７】
任意選択で、Ｓ２０４の後に、Ｓ２０７をさらに含むことができる。
【０１０８】
Ｓ２０７において、端末デバイス１２が無線リソースを使用して前記通信を行うことができるように、基地局２１は、端末デバイス１２に無線リソース構成情報を送信する。
【０１０９】
具体的に、基地局２１は、端末デバイス１２に無線リソース構成を送信することができ、さらに、端末デバイス１２は、第１の中継ノード１１を介して基地局２１と通信する過程において、当該無線リソースを使用する。
【０１１０】
なお、Ｓ２０７における無線リソースは、端末デバイス１２が第１の中継ノード１１と通信するＤ２Ｄ伝送リソースである。
【０１１１】
任意選択で、Ｓ２０４の後に、Ｓ２０８をさらに含むことができる。
【０１１２】
Ｓ２０８において、第１の中継ノード１１が中継リソースを使用して端末デバイス１２と基地局２１との間の通信を協力することできるように、基地局２１は、第１の中継ノード１１に中継リソース構成情報を送信する。
【０１１３】
なお、Ｓ２０５とＳ２０７とは、同時に実施しても良く、Ｓ２０５における第１の通知メッセージと、Ｓ２０７における無線リソース構成とは、同一のメッセージで指示することができる。Ｓ２０６とＳ２０８とは同時に実施することができ、Ｓ２０６における第２の通知メッセージとＳ２０８における中継リソース構成は、同一のメッセージで指示することができる。
【０１１４】
なお、本発明の実施例は、Ｓ２０５とＳ２０６との実施順序を限定しない。例えば、先にＳ２０６を実施てからＳ２０５を実施しても良い。本発明の実施例は、Ｓ２０７とＳ２０８との実施順序を限定しない。例えば、先にＳ２０８を実施てからＳ２０７を実施しても良い。
【０１１５】
さらに、Ｓ２０９を実施することができる。
【０１１６】
Ｓ２０９において、端末デバイス１２は、第１の中継ノード１１を介して基地局２１と通信する。
【０１１７】
つまり、端末デバイス１２は、端末デバイス１２と第１の中継ノード１１との間のサイドリンク（ＳＬ）を介して、基地局２１と通信する。
【０１１８】
具体的に、端末デバイス１２は、第１の中継ノード１１との間のサイドリンクを介して、アップリンクデータを第１の中継ノード１１に送信してから、当該第１の中継ノード１１を介してアップリンクデータを基地局２１に転送することができる。
【０１１９】
任意選択で、上記のＳ２０７を実施した場合、端末デバイス１２は、当該無線リソースを使用して、第１の中継ノード１１と通信することができる。つまり、端末デバイス１２は、第１の中継ノード１１を介して基地局と通信する過程において、当該無線リソースを使用してデータ伝送を行う。
【０１２０】
任意選択で、上記のＳ２０７を実施していない場合、端末デバイス１２は、予め割り当てられる無線リソースを使用して、第１の中継ノード１１と通信することができる。つまり、端末デバイス１２は、第１の中継ノード１１を介して基地局と通信する過程において、当該予め割り当てられる無線リソースを使用してデータ伝送を行うことができる。
【０１２１】
任意選択で、上記のＳ２０８を実施した場合、第１の中継ノード１１は、Ｓ２０８で構成される中継リソースを使用して、端末デバイス１２と基地局２１との間の通信を協力することができる。
【０１２２】
上記から分かるように、本発明の実施例において、端末デバイスと基地局との間の伝送をセルラーリンクからサイドリンクに切り替えするために、基地局によって端末情報に基づいて、中継リンクを確定することができ、それによって、端末デバイスがより良い伝送リンクを選択し、伝送の効率を保証することができる。
【０１２３】
任意選択で、別の実施例として、図３に示すように、Ｓ２０４の後に、Ｓ２０４１、Ｓ２０４２をさらに含むことができる。
【０１２４】
Ｓ２０４１において、基地局２１は、第１の中継ノード１１に第１の要求メッセージを送信し、当該第１の要求メッセージは、第１の中継ノード１１が端末デバイス１２と基地局２１との間の中継として機能するように要求するために用いられる。
【０１２５】
さらに、第１の中継ノード１１は、中継情報に基づいて、端末デバイス１２と基地局２１との間の中継とすることができるか否かを判断することできる。
【０１２６】
具体的に、第１の中継ノード１１は、予め定義される判断基準に基づいて判断することができる。ここで、当該予め定義される判断基準が、予め設定される電量閾値及び／又は予め設定される負荷閾値等を含むことが可能である。
【０１２７】
ここで、当該予め定義される判断基準は、第１の中継ノード１１に予め設定されるものであり、又は、当該予め定義される判断基準は、基地局２１が構成情報によって送信するものである。なお、Ｓ２０１における構成情報は、当該予め定義される判断基準を含むことができる。又は、Ｓ２０１における構成情報は、予め設定される電量閾値及び／又は予め設定される負荷閾値を含むことができる。
【０１２８】
つまり、第１の中継ノード１１は、第１の要求メッセージを受信した後に、判断基準と中継情報に基づいて、端末デバイス１２が中継（即第１の中継ノード１１）を使用して基地局２１と通信することを許可するか否かを判断する。
【０１２９】
具体的に、第１の中継ノード１１は、予め設定される電量閾値、及び第１の中継ノード１１の電量に基づいて、判断することができる。第１の中継ノード１１の電量が当該電量閾値より高い場合、判断結果が許可であることを確定することができる。第１の中継ノード１１の電量が当該電量閾値より低い場合、判断結果が拒絶であることを確定することができる。
【０１３０】
又は、具体的に、第１の中継ノード１１は、予め設定される負荷閾値、及び第１の中継ノード１１の負荷に基づいて、判断することができる。第１の中継ノード１１の負荷が当該負荷閾値より低い場合、判断結果が許可であることを確定することができる。第１の中継ノード１１の負荷が当該負荷閾値より高い場合、判断結果が拒絶であることを確定することができる。
【０１３１】
例を挙げて説明すると、第１の中継ノード１１の電量が高く（例えば、予め設定される電量閾値より高い）、及び／又は、第１の中継ノード１１の負荷が低い（例えば、予め設定される負荷閾値より低い）場合、判断結果が許可であることを確定することができる。つまり、端末デバイス１２が中継（即ち、第１の中継ノード１１）を使用して基地局２１と通信することを許可する。
【０１３２】
Ｓ２０４２において、第１の中継ノード１１は、基地局２１に第１のフィードバックメッセージを送信し、当該第１のフィードバックメッセージが第１の中継ノード１１が前記中継として機能することを同意することを示すために用いられる。
【０１３３】
又は、当該第１のフィードバックメッセージは、第１の中継ノード１１の中継確認メッセージであっても良い。
【０１３４】
このように、基地局２１は、第１の中継ノード１１の第１のフィードバックメッセージを受信してから、Ｓ２０５を実施しても良い。つまり、基地局２１は、第１の中継ノード１１の中継確認を受信してから、Ｓ２０５を実施しても良い。
【０１３５】
なお、図３に示される実施例において、Ｓ２０３は任意選択しても良く、即ち、Ｓ２０４において、基地局２１は、端末情報に基づいて、第１の中継ノード１１を中継として確定することができる。
【０１３６】
なお、図２の一部を参照し、Ｓ２０６〜Ｓ２０８は任意選択可能である。即ち、本実施例におけるＳ２０６〜Ｓ２０８は、実施しなくても良い。
【０１３７】
任意選択で、別の実施例として、図４に示すように、下記のステップを含む。
【０１３８】
Ｓ２０１において、基地局２１は構成情報を送信する。
【０１３９】
具体的に、当該ステップは、上記の図２の実施例のＳ２０１を参照することが可能であり、重複を避けるために、ここで省略する。
【０１４０】
Ｓ２０２において、端末デバイス１２は、基地局２１に端末情報を報告する。
【０１４１】
任意選択で、端末デバイス１２は、構成情報を受信した後に、Ｄ２Ｄの発見プロセスを起動し、それによって、端末デバイス１２と付近のその他の端末デバイスとの間の信号品質情報を確定することができ、例えば、端末デバイス１２は、別の一つの端末デバイス１１との間の信号品質情報を確定することができ、端末デバイス１２は、別の一つの端末デバイス１３との間の信号品質情報を確定することができる。ここで、別の一つの端末デバイス１１を第１の中継ノード１１と、別の一つの端末デバイス１３を第２の中継ノード１３と称する。
【０１４２】
それに応じて、端末情報は、端末デバイス１２と基地局２１との間の信号品質情報をさらに含み、及び／又は、端末デバイス１２と第１の中継ノード１１との間の信号品質情報、及び端末デバイス１２と第２の中継ノード１３との間の信号品質情報を含むことができる。
【０１４３】
任意選択で、端末情報は、サービス優先順位又はリンク傾向をさらに含むことができる。
【０１４４】
具体的に、当該ステップは、上記の図２の実施例のＳ２０２を参照することが可能であり、重複を避けるために、ここで省略する。
【０１４５】
Ｓ２０３０において、基地局２１は、第１の中継ノード１１により送信される中継情報を受信し、基地局２１は、第２の中継ノード１３により送信される中継情報を受信する。
【０１４６】
第１の中継ノード１１により送信される中継情報は、第１の中継ノード１１の電量情報、負荷情報、状態情報のうちの少なくとも一つを含むことができる。
【０１４７】
第２の中継ノード１３により送信される中継情報は、第１の中継ノード１１の電量情報、負荷情報、状態情報のうちの少なくとも一つを含むことができる。
【０１４８】
なお、本発明の実施例は、Ｓ２０２とＳ２０３０の実施順序を限定しない。例えば、先にＳ２０２を実施してから、Ｓ２０３０を実施することができ、又は先にＳ２０３０を実施してからＳ２０２を実施することができ、又は、Ｓ２０２とＳ２０３０を同時に実施することができる。
【０１４９】
なお、本実施例におけるＳ２０３０は任意選択可能であり、即ち、Ｓ２０３０は実施しなくても良い。
【０１５０】
Ｓ２０３１において、基地局２１は端末情報と中継情報とに基づいて、第２の中継ノード１３を端末デバイス１２と基地局２１との間の通信中継として確定する。
【０１５１】
任意選択で、端末デバイス１２の中継として機能する複数の中継ノードが存在する場合、基地局２１は、端末情報と中継情報とに基づいて、複数の中継ノードに対して順序付けることができる。
【０１５２】
又は、任意選択で、Ｓ２０３０を実施していない場合、基地局２１は、端末情報に基づいて、複数の中継ノードに対して順序付けることができる。例えば、位置情報に基づいて、複数の中継ノードと基地局２１との間の信号品質情報等に基づいて順序付ける。
【０１５３】
当該複数の中継ノード内の最も良い選択は第２の中継ノード１３であり、次に良い選択は第１の中継ノード１１である。
【０１５４】
つまり、基地局２１は、複数の中継経路を選択することができ、当該複数の中継経路のいずれも、端末デバイス１２と基地局２１との間の選択可能な経路とすることができ、しかも、基地局２１は、当該複数の中継経路に対して順序付けることができる。例えば、第２の中継ノード１３を経由する中継経路は最も良い経路であり、第１の中継ノード１１を経由する中継経路は次に良い経路である。
【０１５５】
例を挙げて説明すると、第２の中継ノード１３の電量が第１の中継ノード１１の電量より高く、及び／又は、端末デバイス１２と第２の中継ノード１３との間の信号品質が端末デバイス１２と第１の中継ノード１１との間の信号品質より高い場合、基地局２１は、第２の中継ノード１３を中継として確定することができる。
【０１５６】
Ｓ２０３２において、基地局２１は、第２の中継ノード１３に第２の要求メッセージを送信し、当該第２の要求メッセージは、端末デバイス１２と基地局２１との間の中継として機能するように第２の中継ノード１３に要求する。
【０１５７】
さらに、第２の中継ノード１３は、第２の中継ノード１３の中継情報に基づいて、端末デバイス１２と基地局２１との間の中継とすることができるか否かを判断する。
【０１５８】
具体的に、第２の中継ノード１３は、予め定義される判断基準に基づいて判断することができる。ここで、当該予め定義される判断基準が、予め設定される電量閾値及び／又は予め設定される負荷閾値等を含むことが可能である。
【０１５９】
ここで、当該予め定義される判断基準は、第２の中継ノード１３に予め設定されるものであっても良く、又は、当該予め定義される判断基準は、基地局２１が構成情報によって送信されるものであっても良い。Ｓ２０１における構成情報が当該予め定義される判断基準を含むことができることを理解することができる。又は、Ｓ２０１における構成情報は、予め設定される電量閾値及び／又は予め設定される負荷閾値を含むことができる。
【０１６０】
つまり、第２の中継ノード１３は、第２の要求メッセージを受信した後に、第２の中継ノード１３の中継情報に基づいて、端末デバイス１２が中継（即ち、第２の中継ノード１３）を使用して、基地局２１と通信することを許可するか否かを判断する。
【０１６１】
例を挙げて説明すると、第２の中継ノード１３の電量が低く（例えば、予め設定される電量閾値より低い）、及び／又は、第２の中継ノード１３の負荷が高い（例えば、予め設定される負荷閾値より高い）場合、判断結果として許可しない（拒絶）と確定することができる。つまり、端末デバイス１２が中継（即ち、第２の中継ノード１３）を使用して基地局２１と通信することを許可しない。
【０１６２】
Ｓ２０３３において、第２の中継ノード１３は、基地局２１に第２のフィードバックメッセージを送信し、当該第２のフィードバックメッセージは、第２の中継ノード１３が前記中継として機能することを拒絶することを示すために用いられる。
【０１６３】
第２の中継ノード１３が、端末デバイス１２がそれを介して中継プロセスを行うことを許可しないため、基地局２１は、新しい中継ノードを選択する必要がある。つまり、基地局２１は、新たな中継選択プロセスを実施する必要がある。
【０１６４】
Ｓ２０４において、基地局２１は、端末情報と中継情報とに基づいて、第１の中継ノード１１を端末デバイス１２と基地局２１との間の通信中継として確定する。
【０１６５】
当該ステップはＳ２０３１と類似しており、Ｓ２０３１において基地局２１が確定したのが最も良い中継経路、即ち、第２の中継ノード１３である場合、Ｓ２０４において基地局２１が次に良い中継経路、即ち、第１の中継ノード１１を確定する。
【０１６６】
Ｓ２０３４において、基地局２１は、第１の中継ノード１１に第３の要求メッセージを送信し、当該第３の要求メッセージが、端末デバイス１２と基地局２１との間の中継として機能するように要求するために用いられる。
【０１６７】
さらに、第１の中継ノード１１は、中継情報に基づいて、端末デバイス１２と基地局２１との間の中継として機能することができるか否かを判断する。
【０１６８】
具体的に、第１の中継ノード１１は、予め定義される判断基準に基づいて判断することができる。ここで、当該予め定義される判断基準が、予め設定される電量閾値及び／又は予め設定される負荷閾値等を含むことが可能である。
【０１６９】
当該ステップＳ２０３４は、上記の図３の実施例のＳ２０４１と類似しており、重複を避けるために、ここで省略する。
【０１７０】
Ｓ２０３５において、第１の中継ノード１１は、基地局２１に第３のフィードバックメッセージを送信し、当該第３のフィードバックメッセージが第１の中継ノード１１が前記中継として機能することを同意することを示すために用いられる。
【０１７１】
当該ステップＳ２０３４は、上記の図３の実施例のＳ２０４２と類似しており、重複を避けるために、ここで省略する。
【０１７２】
さらに、Ｓ２０３５の後に、基地局２１はＳ２０５を実施しても良い。
【０１７３】
上記から分かるように、本発明の実施例において、基地局は中継ノードと協力してインタラクションし、端末情報を参照し、中継リンクの選択を最適化することができ、端末デバイスのためにより良く伝送リンクを選択することができる。
【０１７４】
本発明の実施例において、基地局は、端末情報に基づいて、又は端末情報と中継情報とに基づいて、端末デバイスのために最適化した中継リンクを確定し、端末デバイスの中継リンクのデータ伝送を保証することができる。
【０１７５】
図５は、本発明のもう一つの実施例におけるデータ伝送方法のフローチャートである。図５に示される方法は、下記のステップを含む。
【０１７６】
Ｓ５０１において、第１の中継ノード１１は、端末デバイス１２と基地局２１との間の中継として機能することを停止することを確定する。
【０１７７】
Ｓ５０１の前に、端末デバイス１２が第１の中継ノード１１を介して基地局２１と通信することを理解することが可能である。つまり、Ｓ５０１の前に、第１の中継ノード１１は、端末デバイス１２と基地局２１との間の中継として機能する。
【０１７８】
即ち、Ｓ５０１の前に、端末デバイス１２は、端末デバイス１２と第１の中継ノード１１との間のサイドリンクを介して、基地局２１と通信を行う。
【０１７９】
又は、図５に示される方法は、上記の図２〜図４のいずれか一つの実施例の後に実施することができる。
【０１８０】
Ｓ５０１は、第１の中継ノード１１が、端末デバイス１２との間のサイドリンク（ＳＬ）を終了することを確定することを理解することが可能である。
【０１８１】
任意選択で、Ｓ５０１の前に、端末デバイス１２は、信号を測定し、測定した情報を第１の中継ノード１１に送信することができる。それに応じて、Ｓ５０１において、第１の中継ノード１１は、当該測定情報に基づいて、端末デバイス１２と基地局２１との間の中継として機能することを停止することを確定することができる。例を挙げて説明すると、当該測定情報は、基準信号受信パワー（ＲＳＲＰ：Ｒｅｆｅｒｅｎｃｅ  Ｓｉｇｎａｌ  Ｒｅｃｅｉｖｅｄ  Ｐｏｗｅｒ）であっても良い。
【０１８２】
任意選択で、第１の中継ノード１１は、中継情報に基づいて、前記端末デバイスと前記基地局との間の中継として機能することを停止することを確定することができる。
【０１８３】
ここで、中継情報は、第１の中継ノード１１の電量情報、負荷情報、状態情報のうちの少なくとも一つを含むことができる。
【０１８４】
任意選択で、第１の中継ノード１１は、予め設定される判断基準に基づいて、前記中継として機能することを停止することを確立することができる。ここで、当該予め定義される判断基準が、予め設定される電量閾値及び／又は予め設定される負荷閾値等を含むことが可能である。ここで、当該予め設定される判断基準は、第１の中継ノード１１に予め設定されるものであっても良く、又は、当該予め設定される判断基準は、基地局２１が構成情報によって第１の中継ノード１１に送信するものであっても良い。
【０１８５】
例えば、第１の中継ノード１１の電量が予め設定される電量閾値より低い場合、及び／又は、第１の中継ノード１１の負荷情報が予め設定される負荷閾値より高い場合、第１の中継ノード１１は、端末デバイス１２と基地局２１との間の中継として機能しないことを確定することができる。
【０１８６】
任意選択で、第１の中継ノード１１は、端末デバイス１２と基地局２１との間の中継として機能することを望まない場合、前記端末デバイスと前記基地局との間の中継として機能することを停止することを確立することができる。
【０１８７】
Ｓ５０２において、第１の中継ノード１１は、端末デバイス１２に第１の通知メッセージを送信し、当該第１の通知メッセージが、第１のリンクを介して基地局２１と通信するように端末デバイス１２に指示するために用いられる。
【０１８８】
又は、第１の通知メッセージは、端末デバイス１２と第１の中継ノード１１との間のサイドリンクをリリーズすることを端末デバイス１２に通知し、第１のリンクを介して基地局２１と通信するように端末デバイス１２に指示するために用いられる。
【０１８９】
任意選択で、一つの実施例として、Ｓ５０２における第１のリンクは、端末デバイス１２と基地局２１との間のセルラーリンクであっても良い。
【０１９０】
そして、Ｓ５０２の後にＳ５０３を実施しても良い。
【０１９１】
Ｓ５０３において、端末デバイス１２は、第１の通知メッセージに基づいて、第１のリンクを介して基地局２１と通信する。
【０１９２】
つまり、端末デバイス１２は、Ｓ５０２で受信される第１の通知メッセージに基づいて、端末デバイス１２と基地局２１との間のセルラーリンクを介して基地局２１と通信する。
【０１９３】
任意選択で、Ｓ５０３の前に、図５に示すように、Ｓ５０２１〜Ｓ５０２３をさらに含むことができる。
【０１９４】
Ｓ５０２１において、第１の中継ノード１１は、基地局２１に要求メッセージを送信し、前記要求は、端末デバイス１２の代わりに、基地局２１にアクセスリソースを要求するために用いられる。
【０１９５】
要求メッセージは、端末デバイス１２が基地局２１と通信する指示情報をさらに含むことができる。つまり、第１の中継ノード１１は、当該端末デバイス１２がそれと通信する望みがあることを基地局２１に通知することができる。
【０１９６】
Ｓ５０２２において、基地局２１は、第１の中継ノード１１にアクセスリソースを送信する。
【０１９７】
具体的に、基地局２１は、要求メッセージに基づいて、第１の中継ノード１１にアクセスリソースを送信する。
【０１９８】
任意選択で、基地局２１は、第１の中継ノード１１にアクセスリソース構成を送信し、第１の中継ノード１１は、当該アクセスリソース構成に基づいてアクセスリソースを確定することができる。
【０１９９】
Ｓ５０２３において、第１の中継ノード１１は、アクセスリソースを端末デバイス１２に送信する。
【０２００】
任意選択で、第１の中継ノード１１は、基地局２１より受信されるアクセスリソース構成を端末デバイス１２に送信する。
【０２０１】
Ｓ５０２３の後に、Ｓ５０３を実施することができる。また、Ｓ５０３において、端末デバイス１２は、当該アクセスリソースに基づいて、基地局２１にアクセスし、アクセスしてから、セルラーリンクを介して基地局２１と通信する。
【０２０２】
つまり、端末デバイス１２は、アクセスリソースに基づいて、基地局２１へのランダムアクセスを実施することができる。また、ランダムアクセスしてから、セルラーリンクを介して基地局２１と通信する。
【０２０３】
具体的に、ここでのランダムアクセスは、従来技術におけるランダムアクセスのプロセスを参照することができ、重複を避けるために、ここで省略する。
【０２０４】
このように、図５に示される実施例において、第１の中継ノードは端末デバイスのために伝送リンクを確定し、第１の中継ノードは、端末デバイスの代わりに、基地局にアクセスリソースを要求し、端末デバイスの伝送リンクをサイドリンクからセルラーリンクへの切り替えを保証し、データ伝送の効率を保証することができる。
【０２０５】
なお、図５に示される実施例の後に、図２〜図４のいずれか一つの実施例に示される方法を再度実施することができる。即ち、セルラーリンクからサイドリンクへの切り替えを実現する。
【０２０６】
任意選択で、別の一つの実施例として、Ｓ５０２における第１のリンクは、端末デバイス１２と第２の中継ノード１３との間のサイドリンクであっても良い。
【０２０７】
そして、Ｓ５０２の後に、図６に示すように、Ｓ５０４を実施することができる。
【０２０８】
Ｓ５０４において、端末デバイス１２は、端末デバイス１２と第２の中継ノード１３との間のサイドリンクを介して、基地局２１と通信する。
【０２０９】
つまり、第２の中継ノード１３は、端末デバイス１２と基地局２１との間の通信中継として機能する。
【０２１０】
このように、図６に示される実施例において、第１の中継ノードが端末デバイスのために伝送リンクを確定し、端末デバイスの伝送リンクをサイドリンク（端末デバイス１２と第１の中継ノード１１との間のサイドリンク）から、別の一つのサイドリンク（端末デバイス１２と第２の中継ノード１３との間のサイドリンク）への切り替えを保証し、データ伝送の効率を保証することができる。
【０２１１】
任意選択で、別の一つの実施例として、Ｓ５０２における第１の通知メッセージは、複数のリンクのうちの一つを選択して前記第１のリンクとするように端末デバイス１２に示し、当該第１のリンクを介して基地局２１と通信するように端末デバイス１２に指示するために用いられる。ここで、前記複数のリンクは、前記端末デバイスと第２の中継ノードとの間のサイドリンク、及び前記端末デバイスと前記基地局との間のセルラーリンクを含む。
【０２１２】
本発明の実施例において、第１の通知メッセージは、複数のリンクから、そのうちの一つを選択して第１のリンクとするように端末デバイス１２に指示しても良いことを理解することが可能である。ここで複数のリンクは、セルラーリンク、第２の中継ノードを経由するサイドリンクを含むことができ、その他の中継ノードを経由するサイドリンク等々を含むことができる。
【０２１３】
そして、Ｓ５０２の後に、図７に示すように、Ｓ５０５とＳ５０６とを実施することができる。
【０２１４】
Ｓ５０５において、端末デバイス１２は、伝送リンクを確定する。
【０２１５】
具体的に、端末デバイス１２は、第１の通知メッセージを受信した後に、基地局２１との間の伝送リンクを改めて確定する。ここで、端末デバイス１２が改めて確定した伝送リンクは第１のリンクである。任意選択で、端末デバイス１２は、複数のリンクから、そのうちの一つを選択して第１のリンクとすることができる。
【０２１６】
任意選択で、端末デバイス１２は、信号強度情報に基づいて、伝送リンクを改めて確定する。
【０２１７】
例を挙げて説明すると、端末デバイス１２は、端末デバイス１２と基地局２１との間の信号強度に基づいて、基地局２１との間のセルラーリンクを介して通信することを確定することができる。例えば、端末デバイス１２と基地局２１との間の信号品質がある予め設定される信号閾値より高い場合、基地局２１との間のセルラーリンクを介して基地局２１と直接通信することを確定する。ここで、Ｓ５０３において、端末デバイス１２は、信号の検出によって、基地局２１との間の信号強度を確定することできる。つまり、端末デバイス１２は、第１のリンクがセルラーリンクであることを確定することができる。
【０２１８】
例を挙げて説明すると、端末デバイス１２は、端末デバイス１２と基地局２１との間の信号強度、及び端末デバイス１２と第２の中継ノード１３との間の信号強度に基づいて、基地局２１との間のセルラーリンクを介して、基地局２１と直接通信することを確定することができる。例えば、端末デバイス１２と基地局２１との間の信号品質が端末デバイス１２と第２の中継ノード１３との間の信号品質より良い場合、基地局２１との間のセルラーリンクを介して、基地局２１と直接通信することを確定することができる。ここで、Ｓ５０３において、端末デバイス１２は、Ｄ２Ｄの発見プロセスを実施し、それとＤ２Ｄ通信することができる端末（例えば、第２の中継ノード１３）を確定し、第２の中継ノード１３との間の信号強度をさらに確定することができる。
【０２１９】
例を挙げて説明すると、端末デバイス１２は、端末デバイス１２と第２の中継ノード１３との間の信号強度に基づいて、第２の中継ノード１３との間のサイドリンクを介して、基地局２１と直接通信することを確定することができる。例えば、端末デバイス１２と第２の中継ノード１３との間の信号強度がある予め設定される信号閾値より高い場合、第２の中継ノード１３との間のサイドリンクを介して、基地局２１と直接通信することを確定する。つまり、端末デバイス１２は、端末デバイス１２と第２の中継ノード１３との間のサイドリンクが第１のリンクであることを確定することができる。
【０２２０】
例を挙げて説明すると、端末デバイス１２は、端末デバイス１２と第２の中継ノード１３との間の信号強度に基づいて、第２の中継ノード１３の中継情報に基づいて、第２の中継ノード１３との間のサイドリンクを介して、基地局２１と直接通信することを確定することができる。又は、端末デバイス１２は、端末デバイス１２と基地局２１との間の信号強度、端末デバイス１２と第２の中継ノード１３との間の信号強度、及び第２の中継ノード１３の中継情報に基づいて、第２の中継ノード１３との間のサイドリンクを介して、基地局２１と直接通信することを確定することができる。例えば、端末デバイス１２と第２の中継ノード１３との間の信号強度が端末デバイス１２と基地局２１との間の信号強度より高い場合、第２の中継ノード１３との間のサイドリンクを介して、基地局２１と直接通信することを確定することができる。
【０２２１】
ここで、中継情報は、第２の中継ノード１３の電量情報、負荷情報、状態情報のうちの少なくとも一つを含むことができる。当該中継情報は、第２の中継ノード１３によって、第２の中継ノード１３と第１の中継ノード１１との間のサイドリンクを介して第１の中継ノード１１に送信され、第１の中継ノード１１によって、第１の中継ノード１１と端末デバイス１２との間のサイドリンクを介して端末デバイス１２に送信されるものであっても良い。
【０２２２】
Ｓ５０６において、端末デバイス１２は、Ｓ５０５で確定したリンクを介して基地局２１と通信する。
【０２２３】
具体的に、端末デバイス１２は、第１のリンクを介して基地局２１と通信する。
【０２２４】
任意選択で、Ｓ５０５における端末デバイス１２で確定されるリンクがセルラーリンクである場合、Ｓ５０６において、端末デバイス１２は、端末デバイス１２と基地局２１との間のセルラーリンクを介して、基地局２１と通信する。具体的に、上記の図５の実施例のＳ５０３を参照することができる。なお、当該実施例の後に、図２〜図４のいずれか一つの実施例に示される方法を再度実施しても良い。即ち、セルラーリンクからサイドリンクへの切り替えを実現する。
【０２２５】
任意選択で、Ｓ５０５における端末デバイス１２で確定されるリンクが端末デバイス１２と第２の中継ノード１３との間のサイドリンクである場合、Ｓ５０６において、端末デバイス１２は、端末デバイス１２と第２の中継ノード１３との間のサイドリンクを介して、基地局２１と通信する。具体的に、上記の図６の実施例のＳ５０４を参照することが可能である。
【０２２６】
このように、図７に示される実施例において、第１の中継ノードによって、その他のリンク（第１のリンク又は第２のリンク）へ切り替えるように端末デバイスに指示し、端末デバイスによって、実際状況に応じてリンクの選択を行い、端末デバイスの伝送リンクを、サイドリンク（端末デバイス１２と第１の中継ノード１１との間のサイドリンク）からセルラーリンク（端末デバイス１２と基地局２１との間のサイドリンク）への切り替え、又はサイドリンク（端末デバイス１２と第１の中継ノード１１との間のサイドリンク）から別の一つのサイドリンク（端末デバイス１２と第２の中継ノード１３との間のサイドリンク）への切り替えを保証し、データ伝送の効率を保証することができる。
【０２２７】
上記から分かるように、本発明の実施例において、基地局によって、又は基地局と中継ノードとの間の協力、インタラクションによって、端末デバイスと基地局との間の通信リンクの切り替えを最適化することができる。具体的に、実際状況に応じて、セルラーリンクからサイドリンク（即ち、中継リンク）に切り替え、又はサイドリンクからセルラーリンクに切り替え、又は一つのサイドリンクから別の一つのサイドリンクに切り替え、端末デバイスのためにより良い伝送リンクを選択することができ、それによって、端末デバイスと基地局との間の通信品質を保証することができる。
【０２２８】
図８は、本発明の一つの実施例における基地局の構成図である。図８に示される基地局２１は、受信ユニット２１１、送信ユニット２１２及び確定ユニット２１３を含む。
【０２２９】
受信ユニット２１１は、端末デバイスにより送信される端末情報を受信するように構成される。
【０２３０】
確定ユニット２１２は、前記受信ユニット２１１で受信される前記端末情報に基づいて、前記端末デバイスが第１の中継ノードを介して前記基地局と通信することを確定するように構成される。
【０２３１】
送信ユニット２１３は、前記端末デバイスに第１の通知メッセージを送信するように構成され、前記第１の通知メッセージが、前記第１の中継ノードを介して前記基地局と通信するように前記端末デバイスに指示するために用いられる。
【０２３２】
本発明の実施例において、基地局は、セルラーリンクから、第１の中継ノードを経由するサイドリンクに切り替えるように端末デバイスに指示することができ、それによって、端末デバイスと基地局との間の通信品質を保証することができる。
【０２３３】
任意選択で、一つの実施例として、受信ユニット２１１は、前記第１の中継ノードにより送信される中継情報を受信するようにさらに構成される。確定ユニット２１２は、具体的に、前記端末情報と前記中継情報とに基づいて、前記端末デバイスが第１の中継ノードを介して前記基地局と通信することを確定するように構成される。ここで、前記中継情報は、前記第１の中継ノードの電量情報、負荷情報、状態情報のうちの少なくとも一つを含む。
【０２３４】
任意選択で、別の一つの実施例として、送信ユニット２１３は、前記第１の中継ノードに第１の要求メッセージを送信するようにさらに構成され、前記第１の要求メッセージが、前記端末デバイスと前記基地局との間の中継として機能するように前記第１の中継ノードに要求するために用いられる。受信ユニット２１１は、前記第１の中継ノードの第１のフィードバックメッセージを受信するようにさらに構成され、前記第１のフィードバックメッセージが、前記第１の中継ノードが前記中継として機能することを同意することを示すために用いられる。
【０２３５】
ここで、送信ユニット２１２は、前記第１の中継ノードが判断基準に基づいて前記中継として機能するか否かを確定することができるように、前記第１の中継ノードに前記判断基準を送信するようにさらに構成され、ここで、前記判断基準が、予め設定される電量閾値及び／又は予め設定される負荷閾値を含むことが可能である。
【０２３６】
任意選択で、別の一つの実施例として、送信ユニット２１２は、第２の中継ノードに第２の要求メッセージを送信するようにさらに構成されることが可能であり、前記第２の要求メッセージが、前記端末デバイスと前記基地局との間の中継として機能するように前記第２の中継ノードに要求するために用いられる。受信ユニット２１１は、前記第２の中継ノードの第２のフィードバックメッセージを受信するようにさらに構成されることが可能であり、前記第２のフィードバックメッセージが、前記第２の中継ノードが前記中継として機能することを拒否することを示すために用いられる。送信ユニット２１２は、前記第１の中継ノードに第３の要求メッセージを送信するようにさらに構成されることが可能であり、前記第３の要求メッセージが、前記端末デバイスと前記基地局との間の中継として機能するように前記第１の中継ノードに要求するために用いられる。受信ユニット２１１は、前記第１の中継ノードの第３のフィードバックメッセージを受信するようにさらに構成されることが可能であり、前記第３のフィードバックメッセージが、前記第１の中継ノードが前記中継として機能することを同意することを示すために用いられる。
【０２３７】
さらに、送信ユニット２１２は、前記第１の中継ノードに第２の通知メッセージを送信するようにさらに構成され、前記第２の通知メッセージが、前記端末デバイスが前記第１の中継ノードを介して前記基地局と通信することを示すために用いられる。
【０２３８】
さらに、送信ユニット２１２は、前記第１の中継ノードが中継リソースを使用して、前記端末デバイスと前記基地局との間の前記通信を協力することができるように、前記第１の中継ノードに中継リソース構成情報を送信するようにさらに構成される。
【０２３９】
さらに、送信ユニット２１２は、前記端末デバイスが無線リソースを使用して通信することができるように、前記端末デバイスに前記無線リソース構成情報を送信するようにさらに構成される。
【０２４０】
ここで、本発明の実施例ににおける前記端末情報は、中継要求情報、前記端末デバイスと前記第１の中継ノードとの間の信号品質情報、前記端末デバイスと前記基地局との間の信号品質情報、及び前記端末デバイのサービス優先順位又はリンク傾向のうちの少なくとも一つを含む。
【０２４１】
任意選択で、送信ユニット２１２は、前記端末デバイスに構成情報を送信するようにさらに構成されることが可能であり、前記構成情報が、信号品質の測定を行うように前記端末デバイスに指示するために用いられる。
【０２４２】
なお、本発明の実施例において、受信ユニット２１１は、レシーバーにより実現されることができ、送信ユニット２１２は、トランスミッターにより実現されることができ、確定ユニット２１３は、プロセッサにより実現されることができる。図９に示すように、基地局２１は、プロセッサ９０１、レシーバー９０２、トランスミッター９０３、及び記憶装置９０４を含むことができる。ここで、記憶装置９０４は、プロセッサ９０１が実行するコード等を記憶するように構成される。プロセッサ９０１は、記憶装置９０４に記憶されるコードを実行するように構成される。
【０２４３】
基地局２１内の各コンポーネントはバスシステム９０５によってカップリンブされており、ここでバスシステム９０５は、データバス以外に、電源バス、制御バス及び状態信号バスを含む。
【０２４４】
図１０は、本発明の一つの実施例におけるシステムチップの概略的な構成図である。図１０のシステムチップ１０００は、入力インターフェース１０１０、出力インターフェース１０２０、少なくとも一つのプロセッサ１０３０、記憶装置１０４０を含み、前記入力インターフェース１０１０、出力インターフェース１０２０、前記プロセッサ１０３０及び記憶装置１０４０の間は、バス１０５０によって接続され、前記プロセッサ１０３０は、前記記憶装置１０４０内のコードを実行するように構成され、前記コードが実行される時に、前記プロセッサ１０３０は、図２〜図４のいずれか一つの実施例における、基地局によって実行される方法を実現する。
【０２４５】
図８に示される基地局２１又は図９に示される基地局２１又は図１０に示されるシステムチップ１０００は、上記の図２〜図４のいずれか一つの方法実施例における、基地局により実現される各プロセスを実現することが可能であり、重複を避けるために、ここで省略する。
【０２４６】
図１１は、本発明の一つの実施例における端末デバイスの構成図である。図１１に示される端末デバイス１２は、送信ユニット１２１、受信ユニット１２２、及び通信ユニット１２３を含む。
【０２４７】
任意選択で、一つの実施例として、
送信ユニット１２１は、基地局に端末情報を送信するように構成される。
【０２４８】
受信ユニット１２２は、前記基地局により送信される第１の通知メッセージを受信するように構成され、前記第１の通知メッセージが、前記第１の中継ノードを介して前記基地局と通信するように前記端末デバイスに指示するために用いられ、ここで、前記第１の通知メッセージが、前記基地局が前記端末情報に基づいて確定されるものである。
【０２４９】
本発明の実施例において、端末デバイスは、基地局の通知を受信し、それによってセルラーリンクから第１の中継ノードを経由するサイドリンクに切り替え、端末デバイスと基地局との間の通信品質を保証することができる。
【０２５０】
任意選択で、一つの実施例として、受信ユニット１２２は、前記基地局により送信される無線リソース構成情報を受信するように構成されることが可能である。通信ユニット１２３は、前記無線リソースを使用して、前記第１の中継ノードを介して前記基地局と通信するように構成される。
【０２５１】
任意選択で、別の一つの実施例として、通信ユニット１２３は、予め割り当てられる無線リソースを使用して、前記第１の中継ノードを介して前記基地局と通信するように構成される。
【０２５２】
また、図１１に示される端末デバイス１２は、測定ユニットをさらに含むことができる。具体的に、受信ユニット１２２は、前記基地局により送信される構成情報を受信するようにさらに構成されることが可能である。それに応じて、測定ユニットは、前記構成情報に基づいて、信号品質を測定するように構成される。
【０２５３】
なお、本発明の実施例において、送信ユニット１２１はトランスミッターにより実現されることが可能であり、受信ユニット１２２はレシーバーによって実現されることが可能であり、通信ユニット１２３はプロセッサにより実現されることが可能である。図１２に示すように、端末デバイス１２は、プロセッサ１２０１、レシーバー１２０２、トランスミッター１２０３、及び記憶装置１２０４を含む。ここで、記憶装置１２０４は、プロセッサ１２０１で実行するコード等を記憶するように構成されることができる。プロセッサ１２０１は、記憶装置１２０４に記憶されるコードを実行するように構成される。
【０２５４】
端末デバイス１２内の各コンポーネントはバスシステム１２０５によってカップリンブされており、ここでバスシステム１２０５は、データバス以外に、電源バス、制御バス及び状態信号バスを含む。
【０２５５】
図１３は、本発明の実施例におけるシステムチップの別の一つの概略的な構成図である。図１３のシステムチップ１３００は、入力インターフェース１３１０、出力インターフェース１３２０、少なくとも一つのプロセッサ１３３０、記憶装置１３４０を含み、前記入力インターフェース１３１０、出力インターフェース１３２０、前記プロセッサ１３３０、及び記憶装置１３４０の間は、バス１３５０によって接続され、前記プロセッサ１３３０は、前記記憶装置１３４０内のコードを実行するように構成され、前記コードが実行される時に、前記プロセッサ１３３０は、図２〜図４のいずれか一つの実施例における、基地局によって実行される方法を実現する。
【０２５６】
図１１に示される端末デバイス１２又は図１２に示される端末デバイス１２又は図１３に示されるシステムチップ１３００は、上記の図２〜図４のいずれか一つの方法実施例における、端末デバイスにより実現される各プロセスを実現することが可能であり、重複を避けるために、ここで省略する。
【０２５７】
任意選択で、別の一つの実施例として、
受信ユニット１２２は、第１の中継ノードにより送信される第１の通知メッセージを受信するように構成され、前記第１の通知メッセージが、第１のリンクを介して前記基地局と通信するように前記端末デバイスに指示するために用いられる。
【０２５８】
通信ユニット１２３は、前記受信ユニット１２２で受信される前記第１の通知メッセージに基づいて、前記第１のリンクを介して前記基地局と通信するように構成される。
【０２５９】
本実施例において、端末デバイスは、第１の中継ノードの通知に基づいて、第１の中継ノードを経由するサイドリンクから第１のリンクに切り替えることができ、それによって、端末デバイスと基地局との間の通信品質を保証することができる。
【０２６０】
任意選択で、一つの実施例として、通信ユニット１２３は、前記第１の中継ノードを介して前記基地局と通信するようにさらに構成されることが可能である。
【０２６１】
一例として、前記第１のリンクは、前記端末デバイスと前記基地局との間のセルラーリンクであり、前記第１の通知メッセージは、前記セルラーリンクを介して前記基地局と通信するように前記端末デバイスに指示するために用いられる。
【０２６２】
さらに、受信ユニット１２２は、前記第１の中継ノードにより送信されるアクセスリソースを受信するようにさらに構成され、前記アクセスリソースが、前記第１の中継ノードが前記基地局に申請するものである。通信ユニット１２３は、具体的に、前記アクセスリソースに基づいて、前記基地局にアクセスし、前記アクセスした後に、前記セルラーリンクを介して前記基地局と通信するように構成されることが可能である。
【０２６３】
別の例として、前記第１のリンクは、前記端末デバイスと第２の中継ノードとの間のサイドリンクであり、前記第１の通知メッセージは、前記サイドリンクを介して前記基地局と通信するように前記端末デバイスに指示するために用いられる。
【０２６４】
別の例として、前記第１の通知メッセージは、複数のリンクのうちの一つを選択して前記第１のリンクとし、前記第１のリンクを介して前記基地局と通信するように前記端末デバイスに指示するために用いられ。ここで、前記複数のリンクは、前記端末デバイスと第２の中継ノードとの間のサイドリンク、及び前記端末デバイスと前記基地局との間のセルラーリンクを含む。
【０２６５】
通信ユニット１２３は、具体的に、前記端末デバイスと前記基地局との間の信号強度に基づいて、前記第１のリンクが前記端末デバイスと前記基地局との間のセルラーリンクであることを確定し、前記第１のリンクを介して前記基地局と通信するように構成される。
【０２６６】
通信ユニット１２３は、具体的に、前記端末デバイスと前記第２の中継ノードとの間の信号強度に基づいて、前記第１のリンクが前記端末デバイスと前記第２の中継ノードとの間のサイドリンクであることを確定し、前記第１のリンクを介して前記基地局と通信するように構成されることが可能である。又は、通信ユニット１２３は、具体的に、具体的に、前記端末デバイスと前記第２の中継ノードとの間の信号強度に基づいて、前記第２の中継ノードの中継情報に基づいて、前記第１のリンクが前記端末デバイスと前記第２の中継ノードとの間のサイドリンクであることを確定し、前記第１のリンクを介して前記基地局と通信するように構成されることが可能である。
【０２６７】
ここで、中継情報は、前記第２の中継ノードの電量情報、負荷情報、状態情報のうちの少なくとも一つを含む。
【０２６８】
それに応じて、この実施例において、図１３のプロセッサ１３３０は、図５〜図７のいずれか一つの実施例における、基地局により実行する方法を実現する。
【０２６９】
図１１に示される端末デバイス１２又は図１２に示される端末デバイス１２又は図１３に示されるシステムチップ１３００は、上記の図５〜図７のいずれか一つの方法実施例における、端末デバイスにより実現される各プロセスを実現することが可能であり、重複を避けるために、ここで省略する。
【０２７０】
図１４は、本発明の一つの実施例における中継ノードの構成図である。なお、中継ノードは、中継機能を実現する端末である。図１４の中継ノードは、第１の中継ノード１１であっても良く、受信ユニット１１１と送信ユニット１１２とを含むことが可能であり、さらに、第１の中継ノード１１は、判断ユニット１１３をさらに含むことができる。
【０２７１】
受信ユニット１１１は、基地局により送信される第１の要求メッセージを受信するように構成され、前記第１の要求メッセージが、端末デバイスと前記基地局との間の中継として機能するように前記第１の中継ノードを要求するために用いられる。
【０２７２】
送信ユニット１１２は、前記第１の中継ノードが前記中継として機能することを同意する場合、前記基地局に第１のフィードバックメッセージを送信するように構成され、前記第１のフィードバックメッセージが、前記第１の中継ノードが前記中継として機能することを同意することを示すために用いられ、又は
送信ユニット１１２は、前記第１の中継ノードが前記中継として機能することを拒否する場合、前記基地局に第２のフィードバックメッセージを送信するように構成され、前記第２のフィードバックメッセージが、前記第１の中継ノードが前記中継として機能することを拒否することを示すために用いられる。
【０２７３】
本発明の実施例において、基地局によって協調して第１の中継ノードとインタラクションし、第１の中継ノードは、基地局を協力して、端末デバイスをセルラーリンクから第１の中継ノードを経由するサイドリンクに切り替えることができる。又は、第１の中継ノードは、要求を拒否することができ、基地局によって端末デバイスをセルラーリンクから、第１の中継ノードを経由しない別のサイドリンクに切り替える。それによって、端末デバイスと基地局との間の通信品質を保証することができる。
【０２７４】
判断ユニット１１３は、判断基準に基づいて、前記中継として機能することを同意するか否かを判断するように構成される。
【０２７５】
それに応じて、受信ユニット１１１は、前記基地局により送信される構成情報を受信するようにさらに構成され、前記構成情報が前記判断基準を含む。ここで、前記判断基準が、予め設定される電量閾値及び／又は予め設定される負荷閾値を含む。
【０２７６】
任意選択で、判断ユニット１１３は、具体的に、前記判断基準と前記第１の中継ノードの中継情報とに基づいて、前記中継として機能することを同意するか否かを判断するように構成されることが可能である。ここで、前記中継情報は、前記第１の中継ノードの電量情報、負荷情報、状態情報のうちの少なくとも一つを含むことができる。
【０２７７】
さらに、送信ユニット１１２が、基地局に第１のフィードバックメッセージを送信する場合、受信ユニット１１１は、前記基地局により送信される第２の通知メッセージを受信するようにさらに構成されることが可能であり、前記第２の通知メッセージが、前記端末デバイスが前記第１の中継ノードを介して前記基地局と通信することを示すために用いられる。
【０２７８】
さらに、送信ユニット１１２は、基地局に第１のフィードバックメッセージを送信する場合、受信ユニット１１１は、前記基地局により送信される中継リソース構成情報を受信するようにさらに構成される。第１の中継ノード１１は通信ユニットをさらに含むことができ、中継リソースを使用して前記端末デバイスと前記基地局との間の前記通信を協力するように構成される。
【０２７９】
なお、本発明の実施例において、受信ユニット１１１はレシーバーによって実現されることが可能であり、送信ユニット１１２はトランスミッターにより実現されることが可能であり、通信ユニット１１３はプロセッサにより実現されることが可能である。図１５に示すように、中継ノード１１は、プロセッサ１５０１、レシーバー１５０２、トランスミッター１５０３、及び記憶装置１５０４を含むことができる。ここで、記憶装置１５０４は、プロセッサ１５０１で実行するコード等を記憶するように構成されることができる。プロセッサ１５０１は、記憶装置１５０４に記憶されるコードを実行するように構成される。
【０２８０】
中継ノード１１内の各コンポーネントはバスシステム１５０５によってカップリンブされており、ここでバスシステム１５０５は、データバス以外に、電源バス、制御バス及び状態信号バスを含む。
【０２８１】
図１６は、本発明の実施例におけるシステムチップの別の一つの概略的な構成図である。図１６のシステムチップ１６００は、入力インターフェース１６１０、出力インターフェース１６２０、少なくとも一つのプロセッサ１６３０、記憶装置１６４０を含み、前記入力インターフェース１６１０、出力インターフェース１６２０、前記プロセッサ１６３０、及び記憶装置１６４０の間は、バス１６５０によって接続され、前記プロセッサ１６３０は、前記記憶装置１６４０内のコードを実行するように構成され、前記コードが実行される時に、前記プロセッサ１６３０は、図２〜図４のいずれか一つの実施例における、第１の中継ノードによって実行される方法を実現する。
【０２８２】
図１４に示される第１の中継ノード１１又は図１５に示される第１の中継ノード１１又は図１６に示されるシステムチップ１６００は、上記の図２〜図４のいずれか一つの方法実施例における、第１の中継ノードにより実現される各プロセスを実現することが可能であり、重複を避けるために、ここで省略する。
【０２８３】
図１７は本発明のもう一つの実施例における中継ノードの構成図である。図１７に示される中継ノードは、第１の中継ノード１１であっても良く、受信ユニット１１１、送信ユニット１１２、及び確定ユニット１１４を含む。
【０２８４】
確定ユニット１１４は、端末デバイスと基地局との間の中継として機能することを停止することを確立するように構成される。
【０２８５】
送信ユニット１１２は、前記端末デバイスに第１の通知メッセージを送信するように構成され、前記第１の通知メッセージが、第１のリンクを介して前記基地局と通信するように前記端末デバイスに指示するために用いられる。
【０２８６】
本発明の実施例において、中継ノードは、端末デバイスと基地局との間の経路の切り替えを確定することができ、中継ノードを経由するサイドリンクから第１のリンクに切り替え、このように端末デバイスと基地局との間の通信品質を保証することができる。
【０２８７】
任意選択で、確定ユニット１１４は、具体的に、中継情報に基づいて、前記端末デバイスと前記基地局との間の中継として機能することを停止することを確立するように構成されることが可能である。ここで、中継情報は、前記第１の中継ノードの電量情報、負荷情報、状態情報のうちの少なくとも一つを含む。
【０２８８】
一例として、前記第１のリンクは、前記端末デバイスと前記基地局との間のセルラーリンクである。それに応じて、送信ユニット１１２は、前記基地局に要求メッセージを送信するようにさらに構成されることができ、前記要求メッセージが、前記端末デバイスの代わりに前記基地局にアクセスリソースを要求するために用いられる。受信ユニット１１１は、前記基地局により送信される前記アクセスリソースを受信するように構成されることが可能である。送信ユニット１１２は、前記端末デバイスが前記アクセスリソースに基づいて前記基地局にアクセスすることができるように、前記アクセスリソースを前記端末デバイスに送信するようにさらに構成されることが可能である。
【０２８９】
別の例として、前記第１のリンクは、前記端末デバイスと第２の中継ノードとの間のサイドリンクである。
【０２９０】
別の例として、前記第１の通知メッセージは、複数のリンクのうちの一つを選択して前記第１のリンクとし、前記第１のリンクを介して前記基地局と通信するように前記端末デバイスに指示するために用いられる。ここで、前記複数のリンクは、前記端末デバイスと第２の中継ノードとの間のサイドリンク、及び前記端末デバイスと前記基地局との間のセルラーリンクを含む。
【０２９１】
なお、本発明の実施例において、受信ユニット１１１はレシーバーによって実現されることが可能であり、送信ユニット１１２はトランスミッターにより実現されることが可能であり、確定ユニット１１４はプロセッサにより実現されることが可能である。図１５に示される通りである。
【０２９２】
また、それに応じて、プロセッサ１６３０は、図５〜図７のいずれか一つの実施例における、第１の中継ノードにより実施する方法を実現する。
【０２９３】
図１７に示される第１の中継ノード１１又は図１５に示される第１の中継ノード１１又は図１６に示されるシステムチップ１６００は、上記の図５〜図７のいずれか一つの方法実施例における、第１の中継ノードにより実現される各プロセスを実現することが可能であり、重複を避けるために、ここで省略する。
【０２９４】
なお、本発明の実施例におけるプロセッサは、集積回路チップであっても良く、信号処理能力を備える。実現過程において、上記方法の実施例における各ステップは、プロセッサにおけるハードウェアの集積論理回路、又はソフトウェア形態の命令により完成されても良い。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０２９５】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０２９６】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２９７】
当業者は、説明の便利と簡潔上、上記に記載されているシステム、装置及びユニットの具体的な動作については、上記の方法実施例の対応されているフローを参照することができ、ここでそれ以上述べない。
【０２９８】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２９９】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０３００】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０３０１】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０３０２】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020205619.tif 000003
【図２】
2020205619.tif 000004
【図３】
2020205619.tif 000005
【図４】
2020205619.tif 000006
【図５】
2020205619.tif 000007
【図６】
2020205619.tif 000008
【図７】
2020205619.tif 000009
【図８】
2020205619.tif 000010
【図９】
2020205619.tif 000011
【図１０】
2020205619.tif 000012
【図１１】
2020205619.tif 000013
【図１２】
2020205619.tif 000014
【図１３】
2020205619.tif 000015
【図１４】
2020205619.tif 000016
【図１５】
2020205619.tif 000017
【図１６】
2020205619.tif 000018
【図１７】
2020205619.tif 000019